【手続補正書】
【提出日】平成25年3月29日(2013.3.29)
【手続補正１】
【補正対象書類名】明細書
【補正対象項目名】０００７
【補正方法】削除
【補正の内容】
【手続補正２】
【補正対象書類名】明細書
【補正対象項目名】０００８
【補正方法】変更
【補正の内容】
【０００８】
また、請求項２に記載の発明は、
請求項１に記載の家庭用薄葉紙収納箱において、
前記底面側フラップの先端部から内側に２つの切込みにより形成された切込み片が設けられ、前記切り込み片は、前記所定の隙間に対向して設けられ、且つ前記切り込み片の幅は、前記所定の隙間よりも短いことを特徴とする。
【手続補正３】
【補正対象書類名】明細書
【補正対象項目名】０００９
【補正方法】変更
【補正の内容】
【０００９】
また、請求項３に記載の発明は、
請求項２に記載の家庭用薄葉紙収納箱において、
前記中側係合片は、先端側から基端側にかけて、第２の幅から徐々に幅狭となって第１の幅になる幅変化部と、第１の幅になってからは基端側にかけて一定の距離だけ第１の幅を維持して構成される等幅部と、
を備え、
前記第１の幅は、前記中側係合片における最短部分の幅であり、前記切込み片の幅と同一であり、かつ、前記所定の隙間よりも短く、
前記第２の幅は、前記中側係合片における最長部分の幅であり、前記切込み片の幅及び前記所定の隙間よりも長いことを特徴とする。
【手続補正４】
【補正対象書類名】明細書
【補正対象項目名】００１０
【補正方法】変更
【補正の内容】
【００１０】
また、請求項４に記載の発明は、
請求項２に記載の家庭用薄葉紙収納箱において、
前記中側係合片は、先端側から基端側にかけて、第１の幅から徐々に幅広となって第２の幅になるとともに、第２の幅から徐々に幅狭となって再び第１の幅になる幅変化部と、
前記第１の幅となってからは基端側にかけて一定の距離だけ第１の幅を維持して構成される等幅部と、
を備え、
前記第１の幅は、前記中側係合片における最短部分の幅であり、前記切込み片の幅と同一であり、かつ、前記所定の隙間よりも短く、
前記第２の幅は、前記中側係合片における最長部分の幅であり、前記切込み片の幅及び前記所定の隙間よりも長いことを特徴とする。
【手続補正５】
【補正対象書類名】明細書
【補正対象項目名】００１１
【補正方法】変更
【補正の内容】
【００１１】
また、請求項５に記載の発明は、
請求項１〜４の何れか一項に記載の家庭用薄葉紙収納箱において、
前記正面側フラップと前記背面側フラップの先端部の形状が直線状であることを特徴とする。
【手続補正６】
【補正対象書類名】明細書
【補正対象項目名】００１２
【補正方法】変更
【補正の内容】
【００１２】
また、請求項６に記載の発明は、
請求項１〜５の何れか一項に記載の家庭用薄葉紙収納箱において、
前記天面側フラップの先端部の形状が直線状であることを特徴とする。
【手続補正７】
【補正対象書類名】明細書
【補正対象項目名】００１３
【補正方法】変更
【補正の内容】
【００１３】
また、請求項７に記載の発明は、
請求項１〜６の何れか一項に記載の家庭用薄葉紙収納箱における家庭用薄葉紙の詰め替え方法であって、
前記側面部を開口させて、家庭用薄葉紙を収納空間内に装填するステップと、
前記正面側フラップと前記背面側フラップとを互いに近づく方向に折り曲げるとともに、前記正面側フラップと前記背面側フラップの外面側に、前記天面側フラップと前記底面側フラップを、前記天面側フラップが外面側となるように重ねて折り曲げるステップと、
前記天面側フラップの前記中側係合片を押圧することで、前記中側係合片を前記正面側フラップと前記背面側フラップの内面側に位置させ、前記正面側フラップと前記背面側フラップと前記底面側フラップを、前記中側係合片と前記正面側係合片及び前記背面側係合片とで挟んで係合するステップと、
を有することを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
請求項２記載の発明によれば、底面側フラップに切込み片が設けられているため、４つのフラップを係合させるのに中側係合片を押し込んだ場合、当該切込み片が内側に折れ曲がるためより係合が容易となる。即ち、中側係合片を押し込んだ場合、底面側フラップの全体が押込まれることがなくなるため、より係合が容易となる。
【手続補正１０】
【補正対象書類名】明細書
【補正対象項目名】００１７
【補正方法】変更
【補正の内容】
【００１７】
請求項３及び４記載の発明によれば、側面部の押圧時において、天面側フラップと底面側フラップとの間の抵抗を少なくすることができ、よりスムーズに押圧することができる。また、スムーズに押圧できることにより、容易に４つのフラップを係合させることができる。
【手続補正１１】
【補正対象書類名】明細書
【補正対象項目名】００１８
【補正方法】変更
【補正の内容】
【００１８】
請求項５記載の発明によれば、正面側フラップと背面側フラップの先端部の形状が直線状である。よって、正面側フラップ及び背面側フラップの先端部に特別な形状加工を行う必要がなく、製造が容易である。
また、正面側フラップと背面側フラップの先端部の形状が直線状であるため、家庭用薄葉紙収納箱として一般的な箱体に切込みをいれるのみで係合部を形成することができることとなる。このため、比較的低コストで当該家庭用薄葉紙収納箱を製造することができる。
【手続補正１２】
【補正対象書類名】明細書
【補正対象項目名】００１９
【補正方法】変更
【補正の内容】
【００１９】
請求項６記載の発明によれば、天面側フラップの先端部の形状が直線状である。よって、天面側フラップの先端部に特別な形状加工を行う必要がなく、製造が容易である。
また、天面側フラップの先端部の形状が直線状であるため、家庭用薄葉紙収納箱として一般的な箱体に切込みをいれるのみで係合部を形成することができることとなる。このため、比較的低コストで当該家庭用薄葉紙収納箱を製造することができる。
【手続補正１３】
【補正対象書類名】明細書
【補正対象項目名】００２０
【補正方法】変更
【補正の内容】
【００２０】
請求項７記載の発明によれば、側面部を開口させて、家庭用薄葉紙を収納空間内に装填し、正面側フラップと背面側フラップとを互いに近づく方向に折り曲げるとともに、正面側フラップと背面側フラップの外面側に、天面側フラップと底面側フラップを、天面側フラップが外面側となるように重ねて折り曲げ、天面側フラップの中側係合片を押圧することで、中側係合片を正面側フラップと背面側フラップの内面側に位置させ、正面側フラップと背面側フラップと底面側フラップを、中側係合片と正面側係合片及び背面側係合片とで挟んで係合する。
よって、押し込むだけで係合が成されるので、係合部が簡易な構成であり且つ組み立てが容易である。このため、家庭用薄葉紙の詰め替え作業を容易に行うことができる。
【手続補正１４】
【補正対象書類名】特許請求の範囲
【補正対象項目名】全文
【補正方法】変更
【補正の内容】
【特許請求の範囲】
【請求項１】
天面部と、底面部と、正面部と、背面部と、及び左右一対の側面部とにより区画され、内部に家庭用薄葉紙を収納して、前記天面部及び／又は前記正面部に設けられた開口部から前記家庭用薄葉紙を取り出す家庭用薄葉紙収納箱において、
前記天面部の両側縁から各々延出された一対の天面側フラップと、
前記底面部の両側縁から各々延出された一対の底面側フラップと、
前記正面部の両側縁から各々延出された一対の正面側フラップと、
前記背面部の両側縁から各々延出された一対の背面側フラップと、
を備え、
前記正面側フラップと前記背面側フラップとが互いに近づく方向に折り曲げられ、前記正面側フラップと前記背面側フラップの外面側に前記天面側フラップと前記底面側フラップとが重なるように折り曲げられ、４つのフラップ同士が係合部により互いに係合されることによって前記側面部が形成され、
前記係合部は、
前記一対の天面側フラップの各々先端部から内側に切り込まれた２つの切込みにより形成された正面側係合片と、中側係合片と、背面側係合片とを備え、
折り曲げられた状態の前記正面側フラップと前記背面側フラップとは、所定の隙間を有しており、
前記中側係合片の基端部の切込みの間隔は、前記所定の隙間よりも短く、前記中側係合片の基端部から先端部までの間に切込みの間隔が前記所定の隙間よりも長い部分が設けられ、
前記中側係合片の外面に前記正面側フラップと前記背面側フラップが係合され、
前記正面側フラップと前記背面側フラップの外面に重なるように前記底面側フラップが重ねられ、
前記正面側係合片と前記背面側係合片の内面に前記底面側フラップが係合されることを特徴とする家庭用薄葉紙収納箱。
【請求項２】
請求項１に記載の家庭用薄葉紙収納箱において、
前記底面側フラップの先端部から内側に２つの切込みにより形成された切込み片が設けられ、前記切り込み片は、前記所定の隙間に対向して設けられ、且つ前記切り込み片の幅は、前記所定の隙間よりも短いことを特徴とする家庭用薄葉紙収納箱。
【請求項３】
請求項２に記載の家庭用薄葉紙収納箱において、
前記中側係合片は、先端側から基端側にかけて、第２の幅から徐々に幅狭となって第１の幅になる幅変化部と、第１の幅になってからは基端側にかけて一定の距離だけ第１の幅を維持して構成される等幅部と、
を備え、
前記第１の幅は、前記中側係合片における最短部分の幅であり、前記切込み片の幅と同一であり、かつ、前記所定の隙間よりも短く、
前記第２の幅は、前記中側係合片における最長部分の幅であり、前記切込み片の幅及び前記所定の隙間よりも長いことを特徴とする家庭用薄葉紙収納箱。
【請求項４】
請求項２に記載の家庭用薄葉紙収納箱において、
前記中側係合片は、先端側から基端側にかけて、第１の幅から徐々に幅広となって第２の幅になるとともに、第２の幅から徐々に幅狭となって再び第１の幅になる幅変化部と、
前記第１の幅となってからは基端側にかけて一定の距離だけ第１の幅を維持して構成される等幅部と、
を備え、
前記第１の幅は、前記中側係合片における最短部分の幅であり、前記切込み片の幅と同一であり、かつ、前記所定の隙間よりも短く、
前記第２の幅は、前記中側係合片における最長部分の幅であり、前記切込み片の幅及び前記所定の隙間よりも長いことを特徴とする家庭用薄葉紙収納箱。
【請求項５】
請求項１〜４の何れか一項に記載の家庭用薄葉紙収納箱において、
前記正面側フラップと前記背面側フラップの先端部の形状が直線状であることを特徴とする家庭用薄葉紙収納箱。
【請求項６】
請求項１〜５の何れか一項に記載の家庭用薄葉紙収納箱において、
前記天面側フラップの先端部の形状が直線状であることを特徴とする家庭用薄葉紙収納箱。
【請求項７】
請求項１〜６の何れか一項に記載の家庭用薄葉紙収納箱における家庭用薄葉紙の詰め替え方法であって、
前記側面部を開口させて、家庭用薄葉紙を収納空間内に装填するステップと、
前記正面側フラップと前記背面側フラップとを互いに近づく方向に折り曲げるとともに、前記正面側フラップと前記背面側フラップの外面側に、前記天面側フラップと前記底面側フラップを、前記天面側フラップが外面側となるように重ねて折り曲げるステップと、
前記天面側フラップの前記中側係合片を押圧することで、前記中側係合片を前記正面側フラップと前記背面側フラップの内面側に位置させ、前記正面側フラップと前記背面側フラップと前記底面側フラップを、前記中側係合片と前記正面側係合片及び前記背面側係合片とで挟んで係合するステップと、
を有することを特徴とする家庭用薄葉紙収納箱における家庭用薄葉紙の詰め替え方法。